(57)【要約】【課題】回転つまみを回転式可変抵抗器の操作手段とする場合、調整用回転軸の長さによっては、操作時に回転つまみがふらついてしまう。【解決手段】調整用回転軸８を備える可変抵抗器６と、調整用回転軸８に固設される回転つまみ５と、可変抵抗器６が反回転つまみ側で固設される基板１３と、回転つまみ５の少なくとも中央部を被覆するように基板１３に対向して配置される上パネルカバー１１と、を備える回転つまみ５付き可変抵抗器６の支持装置であって、回転つまみ５に形成される突出部５ａと、この突出部５ａと嵌合するように上パネルカバー１１に突出形成される凹部１１ａと、から回転つまみ５を上パネルカバー１１に対して回転自在に支持する回転支持機構を構成した。【選択図】図３
2005340314.tif 000002
【特許請求の範囲】
【請求項１】
調整用回転軸を備える可変抵抗器と、
前記調整用回転軸に固設される回転つまみと、
前記可変抵抗器が反回転つまみ側で固設される支持フレームと、
前記回転つまみの少なくとも中央部を被覆するように前記支持フレームに対向して配置されるカバーと、
を備える回転つまみ付き可変抵抗器の支持装置であって、
前記回転つまみを前記カバーに対して回転自在に支持する回転支持機構を設けた、
ことを特徴とする回転つまみ付き可変抵抗器の支持装置。
【請求項２】
前記回転支持機構は、
前記カバーと前記回転つまみとに設けられた次の一対の部材、
一方は、前記調整用回転軸の軸方向に沿って突出する突出部、他方は、該突出部に回転自在に嵌合する凹部と、より構成される、
ことを特徴とする請求項１に記載の回転つまみ付き可変抵抗器の支持装置。
【請求項３】
請求項１または請求項２に記載の回転つまみ付き可変抵抗器の支持装置を備える、
ことを特徴とする液晶ディスプレイ。
【発明の詳細な説明】
【技術分野】
【０００１】
本発明は、液晶表示の濃度調整手段としての可変抵抗器を備える液晶ディスプレイ等における、回転つまみ付き可変抵抗器の支持装置の技術に関する。
【背景技術】
【０００２】
液晶ディスプレイには液晶表示の濃度調整手段として可変抵抗器が設けられており、この可変抵抗器の操作手段が、液晶ディスプレイのケーシングより突出するように配置される。
この操作手段は、回転式可変抵抗器に備える調整用回転軸そのものであったり、調整用回転軸に固設された回転つまみ（ダイヤル）であったりする。調整用回転軸そのものを操作手段とする場合は、調整用回転軸の先端に形成されているドライバ溝を利用して、ドライバにより回転操作を行うものである（特許文献１）。また、前記回転つまみを操作手段とする場合は、その回転つまみを指で動かすことにより回転操作を行う。
なお、特許文献１には、前記調整用回転軸（調整軸）を、ケーシングに支持して、抜け落ちを防止するための技術が、主として開示されている。
【特許文献１】特許第２９２９８５５号公報
【発明の開示】
【発明が解決しようとする課題】
【０００３】
解決しようとする問題点は、回転つまみを回転式可変抵抗器の操作手段とする場合、調整用回転軸の長さによっては、操作時に回転つまみがふらついてしまう点である。このようなふらつきにより、可変抵抗器を傷めてしまうことがある。
【課題を解決するための手段】
【０００４】
本発明の解決しようとする課題は以上の如くであり、次にこの課題を解決するための手段を説明する。
【０００５】
即ち、請求項１においては、
調整用回転軸を備える可変抵抗器と、
前記調整用回転軸に固設される回転つまみと、
前記可変抵抗器が反回転つまみ側で固設される支持フレームと、
前記回転つまみの少なくとも中央部を被覆するように前記支持フレームに対向して配置されるカバーと、
を備える回転つまみ付き可変抵抗器の支持装置であって、
前記回転つまみを前記カバーに対して回転自在に支持する回転支持機構を設けたものである。
【０００６】
請求項２においては、
前記回転支持機構は、
前記カバーと前記回転つまみとに設けられた次の一対の部材、
一方は、前記調整用回転軸の軸方向に沿って突出する突出部、他方は、該突出部に回転自在に嵌合する凹部と、より構成されるものである。
【０００７】
請求項３においては、
液晶ディスプレイは、
前記回転つまみ付き可変抵抗器の支持装置を備えるものである。
【発明の効果】
【０００８】
本発明の効果として、以下に示すような効果を奏する。
【０００９】
請求項１、３においては、回転つまみの操作時に、回転つまみに加えられる力の大小に拠らず、回転つまみおよび調整用回動軸が、調整用回転軸の軸心に対する半径方向で揺動しない。
【００１０】
請求項２、３においては、嵌合構成を利用して回転支持を行うため、組立作業性を損なうこともなく、構成部材の形成に要するコストも安価で済む。
【発明を実施するための最良の形態】
【００１１】
本発明の回転つまみ付き可変抵抗器の支持装置および液晶ディスプレイの実施の形態について、操作パネル１を用いて説明する。
操作パネル１には、本発明の実施の形態である液晶ディスプレイ２が備えられ、この液晶ディスプレイ２には、本発明の実施の形態である、回転つまみ５付き可変抵抗器６の支持装置が備えられている。
【００１２】
まず、図１を用いて、操作パネル１の全体構成を説明する。
操作パネル１は、例えばコピー機等の電子機器に、操作手段として備えられるものであり、指令入力手段としての各種キーや、画像表示手段としての液晶ディスプレイ２が備えられている。
前記各種キーは、０から９の数字入力のためのテンキー３、各種実行指令のためのスタートキー４、等よりなる。
また、操作パネル１には、液晶ディスプレイ２の液晶表示の濃度調整手段として可変抵抗器６（図２、図３に図示）が設けられると共に、この可変抵抗器６の操作手段としての回転つまみ５も、設けられている。
【００１３】
操作パネル１のケーシングは、その全体形状が平板状の直方体形状であり、上パネルカバー１１と、下パネルカバー１２（図３に図示）とを合わせて構成される。
操作パネル１は、通常の実施状態、つまり床上に載置されるコピー機等に取り付けられた状態において、上パネルカバー１１が前記ケーシングの上面および側面の一部を構成し、上パネルカバー１１が前記ケーシングの下面および側面の一部を構成する。上パネルカバー１１および上パネルカバー１１はそれぞれ、中空の平板状直方体において、面積最大の二面の内の一面が除去された形状となっている。
以下、上パネルカバー１１の面積最大面のある部分を上板１１ａとし、下パネルカバー１２の面積最大面のある部分を下板１２ａとする。
【００１４】
上パネルカバー１１の上板１１ａには、液晶ディスプレイ２のガラス面に対応した開口や、前記各種キーに対応した開口が形成されており、これらの開口より液晶ディスプレイ２の液晶表示部２ａが露出すると共に、各種キーが突出している。
そして、上パネルカバー１１および下パネルカバー１２により、操作パネル１の内部が被覆される。
なお、液晶ディスプレイ２は、ガラス板間に液晶等が内蔵されてなる液晶表示部２ａと、液晶表示部２ａの作動に関わる電子部品等と、からなる。この電子部品には、前記可変抵抗器６も含まれるものである。
【００１５】
図２、図３を用いて、前記回転つまみ５が付属する可変抵抗器６の支持装置について説明する。
操作パネル１には液晶ディスプレイ２が備えられているが、この液晶ディスプレイ２には、液晶表示の濃度調整手段として、回転式の可変抵抗器６が備えられている。
この可変抵抗器６には、詳しくは後述する回転つまみ５が設けられ、可変抵抗器６および回転つまみ５の全体が、操作パネル１内に支持されている。
ここで、可変抵抗器６および回転つまみ５の支持に関わる部材の全体を、回転つまみ５付き可変抵抗器６の支持装置とする。
【００１６】
回転式の可変抵抗器６は、抵抗体と可動片とが収容される抵抗器本体７と、可動片が固設される調整用回転軸８と、からなっており、抵抗器本体７より調整長回転軸８が突出する構成である。そして、調整用回転軸８の回転操作による可動片の回転位置変化により、可変抵抗器６の抵抗が変化する。
抵抗器本体７は、操作パネル１内の基板１３上に、調整用回転軸８の軸方向が基板１３に対して垂直となる姿勢で、固設されている。
なお、基板１３は、上板１１ａおよび下板１２ａと平行に配置されると共に、下パネルカバー１２に固定されている。
【００１７】
図３に示すように、調整用回転軸８の突出側先端部には、回転つまみ５が固設されている。なお、調整用回転軸８の側面に平面部（すり割り）を形成し、回転つまみ５の調整用回転軸８を嵌合するボス部の内面にも平面部を形成して、平面部同士の位置を合わせることで、空回りを防止する構成としている。
回転つまみ５は、ユーザが可変抵抗器６の抵抗を調整するための操作手段であり、本実施の形態では、調整用回転軸８の径よりも大きな径の円柱状部材である。
【００１８】
図１、図２に示すように、回転つまみ５の外周部の一部は、操作パネル１のケーシングの外側に露出するように設けられている。
図２に示すＡ方向で、回転つまみ５にユーザが指等で力を加えることで、回転つまみ５の回転操作が行われる。前記Ａ方向は、回転つまみ５の軸心回りの回転方向であり、回転つまみ５の軸心は、後述の調整用回転軸８の軸心と一致する。
図１の紙面において、回転つまみ５は操作パネル１の左端部に配置される。回転つまみ５の配置部位において、上パネルカバー１１および下パネルカバー１２との間には開口が形成されて、ケーシング内にある回転つまみ５の一部がケーシング外に露出される。
【００１９】
また、図３に示すように、回転つまみ５は上パネルカバー１１の上板１１ａに対して、回転自在に設けられている。この構成を、次に具体的に説明する。
まず、図１、図２に示すように、回転つまみ５の上面は一部が上方より見て露出しているが、回転つまみ５の上面の軸心部は、上方より見て上板１１ａにより被覆されている。
また、回転つまみ５の上面の軸心部には、上方に突出する突出部５ａが形成されている。一方、回転つまみ５の上方に位置する上板１１ａの下面には、平面視で突出部５ａと重複する部位に、下方に開口する凹部１１ｂが突出形成されている。
そして、回転つまみ５の突出部５ａと、上板１１ａの凹部１１ａとが、嵌合して、回転つまみ５が上パネルカバー１１に回動自在に支持される。なお、突出部５ａと凹部１１ａの断面形状は本実施例では略三角形状に構成しているが、四角形状等限定するものではない。
【００２０】
ここで、突出部５ａと凹部１１ａとの嵌合が無い状態では、回転つまみ５および調整用回転軸８は、調整用回転軸８の長さや、抵抗器本体７に対する調整用回動軸８の支持強度等の影響により、調整用回転軸８の軸心に対する半径方向で揺動し得る状況にある。
特に、図２に示したような、回転つまみ５の回転操作の折に、ユーザの指等により加えられる力により、回転つまみ５は調整用回転軸８の軸心に対する半径方向へも押されることになる。
しかしながら、突出部５ａと凹部１１ａとの嵌合により、回転つまみ５が上パネルカバー１１に回動自在に支持される構成とすることで、操作時に回転つまみ５が受ける押圧力の大小に関わり無く、前述したような揺動が防止されている。
【００２１】
以上で説明した回転つまみ５付き可変抵抗器６の支持装置をまとめる。
この支持装置には、調整用回転軸８を備える可変抵抗器６と、調整用回転軸８に固設される回転つまみ５と、可変抵抗器６が反回転つまみ５側で固設される基板１３と、回転つまみ５の少なくとも中央部を被覆するように基板１３に対向して配置される上パネルカバー１１と、が備えられている。
本実施の形態では、可変抵抗器６は基板１３に固設される構成であるが、可変抵抗器６を取付け得る支持フレームであれば、他の部材であっても良い。また、可変抵抗器６の支持フレームに対向して配置されるカバーであれば、上パネルカバー１１でなく、他の部材であっても良い。
【００２２】
加えて、回転つまみ５付き可変抵抗器６の支持装置には、回転つまみ５を前記カバーである上パネルカバー１１に対して回転自在に支持する回転支持機構が設けられている。
本実施の形態では、この回転支持機構は、回転つまみ５の上面（上パネルカバー１１側の面）に形成される突出部５ａと、この突出部５ａと嵌合するように上パネルカバー１１に突出形成される凹部１１ａと、からなっている。
【００２３】
このため、回転つまみ５および調整用回動軸８が、調整用回転軸８の軸心位置に保持される。
したがって、回転つまみ５の操作時に、回転つまみ５に加えられる力の大小に拠らず、回転つまみ５および調整用回動軸８が、調整用回転軸８の軸心に対する半径方向で揺動しない。
【００２４】
特に、前記回転支持機構は、回転つまみ５に形成される突出部５ａと、この突出部５ａと嵌合するように上パネルカバー１１に突出形成される凹部１１ａと、からなっている。
ここで、凹部１１ａは上パネルカバー１１に突出形成される構成であるが、回転つまみ５の上面と上パネルカバー１１の下面との離間距離によっては、単に上パネルカバー１１の下面に形成される窪みや、上パネルカバー１１に形成される貫通孔としてもよい。
また、逆に、前記回転支持機構を、上パネルカバー１１に突出部を形成し、この突出部と嵌合するように回転つまみ５に凹部１１ａを突出形成するようにして、構成してもよい。
【００２５】
つまり、前記回転支持機構は、前記カバーである上パネルカバー１１と、回転つまみ５とに設けられた次の一対の部材、一方は、調整用回転軸８の軸方向に沿って突出する突出部５ａと、該突出部５ａに嵌合する凹部１１ｂと、より構成されるものである。
【００２６】
このため、回転つまみ５および調整用回動軸８が、回転可能な状態で、調整用回転軸８の軸心位置に保持される。
特に、嵌合構成を利用して回転支持を行うため、組立作業性を損なうこともなく、構成部材の形成に要するコストも安価で済む。
【図面の簡単な説明】
【００２７】
【図１】操作パネルを示す平面図である。
【図２】回転つまみ付き可変抵抗器の支持装置の平面図である。
【図３】回転つまみ付き可変抵抗器の支持装置の側面図である。
【符号の説明】
【００２８】
１    操作パネル
２    液晶ディスプレイ
５    回転つまみ
５ａ    突出部
６    可変抵抗器
８    調整用回転軸
１１    上パネルカバー（カバー）
１１ｂ    凹部
１３    基板（支持フレーム）
【図１】
2005340314.tif 000003
【図２】
2005340314.tif 000004
【図３】
2005340314.tif 000005